(57)【要約】      （修正有）【課題】異なるチャネルリソースが異なるユーザに同時に割り当てられ、複数のユーザがチャネルに同時にアクセスすることができ、サービス送信速度を向上する方法装置およびシステム並びにアクセスポイントを提供する。【解決手段】データ送信方法のは、アクセスポイント（ＡＰ）によってスケジュールされたアップリンクＯＦＤＭＡ ＰＰＤＵのデータ部分のデータを、対応する割り当てられた周波数リソースユニット（ＲＵ）上で送受信するステップと、割り当てられた周波数リソースユニット（ＲＵ）が配置される１つまたは複数の基本チャネルユニットを決定するステップと、アップリンクＯＦＤＭＡ ＰＰＤＵの共通シグナリング部分における少なくともいくつかのフィールドを、決定した１つまたは複数の基本チャネル上で送受信するステップを含む。【選択図】図１
2020188499.tif 000002
【特許請求の範囲】
【請求項１】
データ送信方法であって、
アクセスポイント（AP）によってスケジュールされたアップリンクOFDMA PPDUのデータ部分によって必要とされる周波数リソースのサイズを決定し、前記アップリンクOFDMA PPDUの前記データ部分を送受信するための対応する周波数リソースユニット（RU）を割り当てるステップと、
割り当てられた前記周波数リソースユニット（RU）が配置される1つまたは複数の基本チャネルユニットを決定するステップと、
割り当てられた前記周波数リソースユニット（RU）上で、前記アップリンクOFDMA PPDUの前記データ部分を送受信し、決定された前記1つまたは複数の基本チャネル上で、前記アップリンクOFDMA PPDUの共通シグナリング部分における少なくともいくつかのフィールドを送受信するステップとを含む方法。
【請求項２】
決定された前記複数の基本チャネル上で、前記アップリンクOFDMA PPDUの共通シグナリング部分における少なくともいくつかのフィールドを送受信する前記ステップは、
基本チャネルごとに決定された前記複数の基本チャネルを介して、前記複数の基本チャネル上で、前記アップリンクOFDMA PPDUの前記共通シグナリング部分における前記少なくともいくつかのフィールドを重複して送受信するステップを含む、請求項1に記載の方法。
【請求項３】
前記アップリンクOFDMA PPDUの前記データ部分は、アップリンクユーザデータおよび/またはアップリンクユーザMAC制御シグナリングを含む、請求項1に記載の方法。
【請求項４】
前記1つまたは複数の基本チャネル上で送受信される前記共通シグナリング部分における前記少なくともいくつかのフィールドは、レガシープリアンブル（Legacy preamble）およびHE-SIG-A、または、レガシープリアンブル（Legacy preamble）、HE-SIG-AおよびHE-SIG-Bを含む、請求項1または2に記載の方法。
【請求項５】
前記アップリンクOFDMA PPDUフレームの前記共通シグナリング部分における前記少なくともいくつかのフィールドが、レガシープリアンブル（Legacy preamble）のみを含む場合、前記アップリンクOFDMA PPDUフレームの前記データ部分は、ACKシグナリングのみを含み、または、前記アップリンクOFDMA PPDUフレームの前記データ部分は、アップリンクユーザデータおよびアップリンクユーザACKシグナリングを含み、前記ACKシグナリングは、MACシグナリングに属し、且つ、前記ACKシグナリングは、各基本チャネルユニットに基づいて、周波数リソース内に配置されることをさらに含む、請求項1に記載の方法。
【請求項６】
データ送信装置であって、
アクセスポイント（AP）によってスケジュールされたアップリンクOFDMA PPDUのデータ部分によって必要とされる周波数リソースのサイズを決定し、前記アップリンクOFDMA PPDUの前記データ部分を送受信するための対応する周波数リソースユニット（RU）を割り当てるように構成される割り当てユニットと、
割り当てられた前記周波数リソースユニット（RU）が配置される1つまたは複数の基本チャネルユニットを決定するように構成される決定ユニットと、
割り当てられた前記周波数リソースユニット（RU）上で、前記アップリンクOFDMA PPDUの前記データ部分を送受信し、決定された前記1つまたは複数の基本チャネル上で、前記アップリンクOFDMA PPDUの共通シグナリング部分における少なくともいくつかのフィールドを送受信するように構成される送信ユニットとを含む装置。
【請求項７】
前記送信ユニットは、基本チャネルごとに決定された前記複数の基本チャネルを介して、前記複数の基本チャネル上で、前記アップリンクOFDMA PPDUの前記共通シグナリング部分における前記少なくともいくつかのフィールドを重複して送受信するように構成される第1の送信ユニットを含む、請求項6に記載の装置。
【請求項８】
請求項6または請求項7に記載の前記データ送信装置を含む、アクセスポイント。
【請求項９】
データ送信システムであって、
記憶媒体を有するメモリであって、前記メモリは、前記アップリンクOFDMA PPDUにおいてデータを送受信するために使用されるデータ送信プログラムを記憶する、メモリと、
バスを使用することによって、前記メモリに接続されるプロセッサとを含み、前記データが、前記アップリンクOFDMA PPDUにおいて送受信される場合、前記プロセッサは、前記メモリに記憶される前記データ送信方法プログラムを呼び出し、請求項1乃至5のいずれか1項に記載の前記方法に記載の前記データ送信プログラムを実行する、システム。
【発明の詳細な説明】
【技術分野】
【０００１】
本発明は、ネットワーク通信技術の分野に関し、詳細には、データ送信方法、装置、およびシステム、およびアクセスポイントに関する。
【背景技術】
【０００２】
モバイルインターネットの発展およびインテリジェント端末の普及に伴い、データトラフィックは急速に増加している。高速且つ低コストという利点により、無線ローカルエリアネットワークは、主流のモバイルブロードバンドアクセス技術の1つになる。既存のWi-Fiシステム、例えば、IEEE 802.11aに基づく従来のシステム、IEEE 802.11nに基づく高スループットシステムまたはIEEE 802.11acに基づく非常に高いスループットシステムにおいては、アップリンクデータ送信は、常にポイントツーポイント送信であり、すなわち、同じチャネル上で、または、同じスペクトルにおいて、1つの局のみがアクセスポイントに同時にデータを送受信する。同様に、ダウンリンクデータ送信もまた、ポイントツーポイント送信であり、すなわち、同じチャネル上で、または、同じスペクトルにおいて、アクセスポイントは1つの局のみに同時にデータを送受信する。
次世代Wi-Fi（Wireless Fidelity, 無線ローカルエリアネットワーク）システム、例えば、HEW（High Efficiency WLAN, 高効率WLAN）システムでは、無線ローカルエリアシステムのサービス送信速度に対してより高い要件が課せられる。しかしながら、単一のチャネルまたは単一の周波数バンドによって制限されて、既存のポイントツーポイント送信方式は、高速サービス送信要件を満たすことができない。
【先行技術文献】
【特許文献】
【０００３】
【特許文献１】国際公開第２０１５／０６６３２６号
【特許文献２】国際公開第２０１３／１７０１３６号
【非特許文献】
【０００４】
【非特許文献１】Yongho Seok，Beamformed HE PPDU，IEEE 802.11-15/0597r0，インターネット＜URL:https://mentor.ieee.org/802.11/dcn/15/11-15-0597-00-00ax-beamformed-he-ppdu.pptx＞，２０１５年  ５月１０日
【非特許文献２】Young Hoon Kwon，SIG Structure for UL PPDU，IEEE 802.11-15/0574r0，インターネット＜URL:https://mentor.ieee.org/802.11/dcn/15/11-15-0574-00-00ax-sig-structure-for-ul-ppdu.pptx＞，２０１５年  ５月１１日
【発明の概要】
【課題を解決するための手段】
【０００５】
これにより、本発明は、データ送信方法、装置、およびシステム、およびアクセスポイントを提供し、異なるチャネルリソースが異なる局に同時に割り当てられ、すなわち、複数の局はチャネルに同時にアクセスすることができ、それによって、サービス送信速度を向上させる。
本発明の解決手段は以下の通りである：
【０００６】
本発明の実施形態の第1の態様はデータ送信方法を提供し、方法は、アクセスポイント（AP）によってスケジュールされたアップリンクOFDMA PPDUのデータ部分によって必要とされる周波数リソースのサイズを決定し、アップリンクOFDMA PPDUのデータ部分を送受信するための対応する周波数リソースユニット（RU）を割り当てるステップと、割り当てら
れた周波数リソースユニット（RU）が配置される1つまたは複数の基本チャネルユニットを決定するステップと、割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信するステップとを含む。
【０００７】
本発明の実施形態の第1の態様における実施方式では、決定された複数の基本チャネル上で、アップリンクOFDMA PPDUの共通シグナリング部分における少なくともいくつかのフィールドを送受信するステップは、基本チャネルごとに決定された複数の基本チャネルを使用することによって、複数の基本チャネル上で、アップリンクOFDMA PPDUの共通シグナリング部分における少なくともいくつかのフィールドを繰返し送受信するステップを含む。
【０００８】
本発明の実施形態の第1の態様における第3の実施方式では、アップリンクOFDMA PPDUのデータ部分は、アップリンクユーザデータおよび/またはアップリンクユーザMAC制御シグナリングを含む。
【０００９】
本発明の実施形態の第1の態様における第4の実施方式では、1つまたは複数の基本チャネル上で送受信される共通シグナリング部分における少なくともいくつかのフィールドは、レガシープリアンブル（Legacy preamble）およびHE-SIG-A、または、レガシープリアンブル（Legacy preamble）、HE-SIG-AおよびHE-SIG-Bを含む。
【００１０】
本発明の実施形態の第1の態様における第5の実施方式では、アップリンクOFDMA PPDUフレームの共通シグナリング部分における少なくともいくつかのフィールドが、レガシープリアンブル（Legacy preamble）のみを含む場合、アップリンクOFDMA PPDUフレームのデータ部分は、ACKシグナリングのみを含み、または、アップリンクOFDMA PPDUフレームのデータ部分は、アップリンクユーザデータおよびアップリンクユーザACKシグナリングを含み、ここで、ACKシグナリングは、MACシグナリングに属し、且つ、ACKシグナリングは、各基本チャネルユニットに基づいて、周波数リソース内に配置されることをさらに含む。
【００１１】
本発明の実施形態の第2の態様はデータ送信装置を提供し、装置は、アクセスポイント（AP）によってスケジュールされたアップリンクOFDMA PPDUのデータ部分によって必要とされる周波数リソースのサイズを決定し、アップリンクOFDMA PPDUのデータ部分を送受信するための対応する周波数リソースユニット（RU）を割り当てるように構成される割り当てユニットと、割り当てられた周波数リソースユニット（RU）が配置される1つまたは複数の基本チャネルユニットを決定するように構成される決定ユニットと、割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信するように構成される送信ユニットとを含む。
【００１２】
本発明の実施形態の第2の態様における第2の実施方式では、送信ユニットは、基本チャネルごとに決定された複数の基本チャネルを使用することによって、複数の基本チャネル上で、アップリンクOFDMA PPDUの共通シグナリング部分における少なくともいくつかのフィールドを繰り返し送受信するように構成される第1の送信ユニットを含む。
【００１３】
本発明の実施形態の第3の態様は、上述の任意のデータ送信装置を含むアクセスポイントを提供する。
【００１４】
本発明の実施形態の第4の態様はデータ送信システムを提供し、システムは、記憶媒体を有するメモリであって、ここで、メモリは、アップリンクOFDMA PPDUにおいてデータを送受信するために使用されるデータ送信プログラムを記憶する、メモリと、バスを使用することによって、メモリに接続されるプロセッサとを含み、ここで、データ送信が、アップリンクOFDMA PPDUにおいて実行される場合、プロセッサは、メモリに記憶されるデータ送信方法プログラムを呼び出し、第1の態様において提供される任意のデータ送信方法に記載のデータ送信プログラムを実行する。
【００１５】
前述の技術的解決手段から、本出願の実施形態では、OFDMA（Orthogonal Frequency Division Multiple Access, 直交周波数分割多元接続）技術は、IEEE（Institute of Electrical and Electronics Engineers, 電気電子技術者協会）802.11ax標準に基づいて導入されることがわかる。アクセスポイント（AP）によってスケジュールされたアップリンクOFDMA PPDUのデータ部分のデータは、対応する割り当てられた周波数リソースユニット（RU）上で送受信され、割り当てられた周波数リソースユニット（RU）が配置される1つまたは複数の基本チャネルユニットが決定され、アップリンクOFDMA PPDUの共通シグナリング部分における少なくともいくつかのフィールドは、決定された1つまたは複数の基本チャネル上で送受信される。このようにして、アップリンクOFDMA PPDUの共通シグナリング部分における少なくともいくつかのフィールドを送受信するための1つまたは複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シグナリング部分における少なくともいくつかのフィールドを送受信するための1つまたは複数の基本チャネルはビジー状態であることを検出し、ユーザは、別のアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【図面の簡単な説明】
【００１６】
本発明の実施形態における、または、従来技術における技術的解決手段をより明確に説明するために、以下では、実施形態または従来技術を説明するために必要とされる添付図面を簡潔に説明する。明らかに、以下の説明における添付図面は、本発明の単なるいくつかの実施形態を示し、当業者は、創造的努力無しに、これらの添付図面から他の図面をさらに導出することができる。
【００１７】
【図１】図1は、本出願におけるデータ送信方法の実施形態1のフローチャートである。
【図２ａ】図2aは、本出願の実施形態1に記載の、アップリンクOFDMA PPDUフレームが送信されるときに使用されるチャネルリソースの簡単な概略図である。
【図２ｂ】図2bは、本出願の実施形態1に記載の、別のアップリンクOFDMA PPDUフレームが送信されるときに使用されるチャネルリソースの簡単な概略図である。
【図３ａ】図3aは、本出願の実施形態1に記載の、さらに別のアップリンクOFDMA PPDUフレームが送信されるときに使用されるチャネルリソースの簡単な概略図である。
【図３ｂ】図3bは、本出願の実施形態1に記載の、また別のアップリンクOFDMA PPDUフレームが送信されるときに使用されるチャネルリソースの簡単な概略図である。
【図４】図4は、本出願の実施形態1に記載の、さらにまた別のアップリンクOFDMA PPDUフレームが送信されるときに使用されるチャネルリソースの簡単な概略図である。
【図５】図5は、本出願におけるデータ送信方法の実施形態2のフローチャートである。
【図６】図6は、本出願におけるデータ送信装置の実施形態3の構成図である。
【図７】図7は、本出願におけるデータ送信装置の実施形態4の構成図である。
【図８】図8は、本出願におけるデータ送信システムの構成図である。
【発明を実施するための形態】
【００１８】
サービス送信速度をどのように改善するかという課題を解決するために、発明者は、研究プロセスにおいて、OFDMA（Orthogonal Frequency Division Multiple Access, 直交周波数分割多元接続）技術は、IEEE（Institute of Electrical and Electronics Engineers, 電気電子技術者協会）802.11ax標準に基づいて導入されることを発見した。OFDMA技術によると、エアインタフェース無線チャネル時間-周波数リソースは、複数のRB（Resource Block, リソースブロック）に分割され、複数のRBは、同時に共有され、周波数領域で直交し得る。OFDMA技術が導入された後、アップリンクデータ送信は、ポイントツーポイント送信ではなくマルチポイントツーポイント送信である。すなわち、同じチャネル上で、または同じスペクトルにおいて、複数の局がアクセスポイントにデータを同時に送信する。加えて、ダウンリンクデータ送信は、ポイントツーポイント送信ではなくポイントツーマルチポイント送信である。これに基づいて、発明者は、いくつかのマルチポイントツーポイント送信方式、例えば、第1の方式および第2の方式を考慮する。
【００１９】
第1の方式において:
【００２０】
アップリンクOFDMA PPDUのデータ部分は、事前に割り当てられた周波数リソースユニット（RU）上で送受信され、アップリンクOFDMA PPDUの共通シグナリング部分は、チャネル帯域幅における各基本チャネルにわたって複製される。周波数リソースユニット（RU）は、基本チャネルユニットよりも小さい。
【００２１】
第2の方式において:
【００２２】
アップリンクOFDMA PPDUのデータ部分および共通シグナリング部分の両方が、事前に割り当てられた周波数リソースユニット（RU）上で送受信される。周波数リソースユニット（RU）は、基本チャネルユニットよりも小さい。
【００２３】
しかしながら、これらの考えられる送信方式をさらに研究した後、発明者は、これらの送信方式は様々な課題を有することを発見する。
【００２４】
例えば、第1の送信方式では、従来の802.11a/b/n/acおよび802.11ax BSSにおける別のユーザが、従来のCCAに従って検出を実行する場合、アップリンクOFDMA PPDUの共通シグナリング部分は、チャネル帯域幅における各基本チャネルにわたって複製されるため、チャネル帯域幅における各基本チャネル上のエネルギーが、特定のCCA標準よりも高いことが検出される。すなわち、各基本チャネルがビジー状態であることが検出される。しかしながら、実際には、アップリンクOFDMA PPDUの共通シグナリング部分は、ただ一つの基本チャネル上で同時に送受信される。前述の送信方式は、BSS内の別のユーザが、データ部分のためにアイドル状態の基本チャネルについて競合することを防ぎ、これは、周波数スペクトル利用の改善には役立たない。加えて、アップリンクユーザデータ部分のエネルギーは、データが送信されるときに割り当てられたRUに集中し、一方で、フロント共通シグナリング部分は、複数の基本チャネル上で送受信される。結果として、フロント共通シグナリング部分を受信するための電力およびバックデータ部分を受信するための電力は、受信エンドで一致しない。
【００２５】
第2の送信方式では、従来の802.11a/b/n/acおよび802.11ax BSSにおける別のユーザが従来の方式で共通シグナリング部分を検出する場合、アップリンクユーザによって送信される共通シグナリング部分の内容は同じであるが、それぞれのスケジュールされたアップリンクユーザは、事前に割り当てられ、基本チャネルユニットよりも小さいRU上のみで送信を実行するため、最終的に受信エンドに送受信される共通シグナリング部分は不完全であり得、周波数リソースユニット（RU）は、限られたリソースサイズを収容する。
【００２６】
従って、前述の課題を解決するために、本発明の実施形態は、マルチポイントツーポイント送信方式を提供する。送信方式では、アクセスポイント（AP）によってスケジュールされたアップリンクOFDMA（orthogonal frequency-division multiplex access, 直交周波数分割多元接続） PPDU（a physical layer convergence protocol data unit, 物理層収束プロトコルデータユニット）のデータ部分のデータは、対応する割り当てられた周波数リソースユニット（RU）上で送受信され、割り当てられた周波数リソースユニット（RU）が配置される1つまたは複数の基本チャネルユニットが決定され、アップリンクOFDMA PPDUの共通シグナリング部分における少なくともいくつかのフィールドは、決定された1つまたは複数の基本チャネル上で送受信される。このようにして、アップリンクOFDMA PPDUの共通シグナリング部分における少なくともいくつかのフィールドを送受信するための1つまたは複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シグナリング部分における少なくともいくつかのフィールドを送受信するための1つまたは複数の基本チャネルはビジー状態であることを検出し、ユーザは、別のアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００２７】
加えて、アップリンクOFDMA PPDUの共通シグナリング部分における少なくともいくつかのフィールドは、1つまたは複数の基本チャネル上で送受信され、且つ、基本チャネルは、比較的大きい容量を有するため、1つまたは複数の基本チャネルは、アップリンクOFDMA PPDUの共通シグナリング部分における少なくともいくつかのフィールドを収容することができる。従って、完全な共通シグナリング部分は、1つまたは複数の基本チャネルを介して受信エンドに最終的に送受信され、且つ、送信シグナリングは、送信プロセスにおいて失われない。
【００２８】
以下では、本発明の実施形態における添付図面を参照して、本発明の実施形態における技術的解決手段を明確且つ完全に説明する。明らかに、説明される実施形態は、単に一部であり、本発明の実施形態の全てではない。創造的努力無しに、本発明の実施形態に基づいて当業者によって得られる全ての他の実施形態は、本発明の保護範囲に包含されるべきである。
【００２９】
具体的なプロセスは、本発明で開示される前述の実施形態において詳細に説明される。
【００３０】
実施形態1
【００３１】
図1は、本出願の実施形態1に係る、データ送信方法のフローチャートである。方法は、ダウンリンクOFDMA PPDUに対応しているアップリンクOFDMA PPDUに適用される。図1に示されるように、方法は以下のステップを含んでよい。
【００３２】
S101: アクセスポイント（AP）によってスケジュールされたアップリンクOFDMA PPDUのデータ部分によって必要とされる周波数リソースのサイズを決定する。
【００３３】
S102: 対応する周波数リソースユニット（RU）を割り当てる。
【００３４】
アップリンクOFDMA PPDUのデータ部分は、アップリンクユーザデータおよび/またはアップリンクユーザMAC制御シグナリングを含む。
【００３５】
S103: 割り当てられた周波数リソースユニット（RU）が配置される1つまたは複数の基本チャネルユニットを決定する。
【００３６】
基本チャネルユニットは、好ましくは20 MHzチャネルである。確かに、本発明の本実施形態における基本チャネルユニットは、20 MHzチャネルに限定されず、本発明の本実施形態における基本チャネルユニットとして、任意の適当なチャネルが使用されることができる。
【００３７】
S104: 割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信する。
【００３８】
アップリンクOFDMA PPDUの共通シグナリング部分におけるフィールドは、少なくともレガシープリアンブル（Legacy preamble）を含み、HE-SIG-A（High Efficient signal part A, 高効率信号部分A）またはHE-SIG-B（High Efficient signal part B, 高効率信号部分B）をさらに含んでよい。HE-SIG-Aは、アップリンクOFDMA PPDUにおける共通リソース指示シグナリングであり、HE-SIG-Bは、アップリンクOFDMA PPDUにおけるユーザのためのリソース指示シグナリングである。送信フレームの物理層フレームフォーマットにより、レガシープリアンブル（Legacy preamble）がレガシー・ショート・トレーニング・シーケンス・フィールド、レガシー・ロング・トレーニング・シーケンス・フィールドおよびレガシーシグナリングフィールドを含むことが知られ得る。HE-SIG-Aは、帯域幅、シンボル間ガードインターバルおよびHE-SIG-Bの長さおよび変調符号化等を設定するための共通シグナリングを含む。HE-SIG-Bは、ターゲットユーザに割り当てられるリソース等に関する情報を示すために使用される。
【００３９】
任意で、アップリンクOFDMA PPDUフレームの共通シグナリング部分における少なくともいくつかのフィールドは、レガシープリアンブル（Legacy preamble）およびHE-SIG-Aのみを含み、または、アップリンクOFDMA PPDUフレームの共通シグナリング部分は、レガシープリアンブル（Legacy preamble）、HE-SIG-AおよびHE-SIG-Bを含む。
【００４０】
アップリンクOFDMA PPDUフレームの共通シグナリング部分における少なくともいくつかのフィールドが、レガシープリアンブル（Legacy preamble）およびHE-SIG-Aのみを含み、割り当てられた周波数リソースユニット（RU）が、ただ一つの基本チャネルユニットに配置される場合、図2aは、本発明の実施形態1に記載の、アップリンクOFDMA PPDUフレームが送信されるときに使用されるチャネルリソースの簡単な概略図である。
【００４１】
あるいは、アップリンクOFDMA PPDUフレームの共通シグナリング部分における少なくともいくつかのフィールドが、レガシープリアンブル（Legacy preamble）、HE-SIG-AおよびHE-SIG-Bを含み、割り当てられた周波数リソースユニット（RU）が、ただ一つの基本チャネルユニットに配置される場合、図2bは、本発明の実施形態1に記載の、別のアップリンクOFDMA PPDUフレームが送信されるときに使用されるチャネルリソースの簡単な概略図である。
【００４２】
APによってスケジュールされたアップリンクOFDMAを使用することによる、アップリンクデータまたはアップリンクMAC制御シグナリングの送信のために、アップリンクユーザデータまたはアップリンクユーザMAC制御シグナリングは、割り当てられたRU上で送信され、RUは20 MHzチャネル上に配置される。本発明の実施形態1におけるアップリンクOFDMA PPDUフレームの共通シグナリング部分における、レガシープリアンブル（Legacy preamble）およびHE-SIG-A；または、レガシープリアンブル（Legacy preamble）、HE-SIG-AおよびHE-SIG-Bは、RUを含む20 MHzチャネル上で送信され、アップリンクOFDMA PPDUフレームの共通シグナリング部分は、帯域幅におけるいずれの他のチャネル上でも送信されない
。
【００４３】
アップリンクOFDMA PPDUフレームの共通シグナリング部分における少なくともいくつかのフィールドが、レガシープリアンブル（Legacy preamble）およびHE-SIG-Aのみを含み、割り当てられた周波数リソースユニット（RU）が、複数の基本チャネルユニットに配置される場合、図3aに示されるように、図3aは、本発明の実施形態1に記載の、さらに別のアップリンクOFDMA PPDUフレームが送信されるときに使用されるチャネルリソースの簡単な概略図である。
【００４４】
あるいは、アップリンクOFDMA PPDUフレームの共通シグナリング部分における少なくともいくつかのフィールドが、レガシープリアンブル（Legacy preamble）、HE-SIG-AおよびHE-SIG-Bを含み、割り当てられた周波数リソースユニット（RU）が、複数の基本チャネルユニットに配置される場合、図3bに示されるように、図3bは、本発明の実施形態1に記載の、また別のアップリンクOFDMA PPDUフレームが送信されるときに使用されるチャネルリソースの簡単な概略図である。
【００４５】
APによってスケジュールされたアップリンクOFDMAを使用することによる、アップリンクデータまたはアップリンクMAC制御シグナリングの送信のために、アップリンクユーザデータまたはアップリンクユーザMAC制御シグナリングは、割り当てられたRU上で送信され、RUは、複数の20 MHzチャネル内に配置される。アップリンクOFDMA PPDUフレームの共通シグナリング部分における、レガシープリアンブル（Legacy preamble）およびHE-SIG-A、または、レガシープリアンブル（Legacy preamble）、HE-SIG-AおよびHE-SIG-Bは、RUが配置される複数の20 MHzチャネル上で送信され、各20 MHzチャネルにわたって複製される。レガシープリアンブル（Legacy preamble）およびHE-SIG-Aは、帯域幅におけるいずれの他のチャネル上でも送信されない。
【００４６】
任意で、アップリンクOFDMA PPDUフレームの共通シグナリング部分における少なくともいくつかのフィールドが、レガシープリアンブル（Legacy preamble）のみを含む場合、アップリンクOFDMA PPDUフレームのデータ部分はACKシグナリングのみを含み、または、アップリンクOFDMA PPDUフレームのデータ部分は、アップリンクユーザデータおよびアップリンクユーザACKシグナリングを含む。ACKシグナリングはMACシグナリングに属し、ACKシグナリングは、1つまたは複数の基本チャネルに基づく周波数リソースに配置される。図4に示されるように、図4は、本出願の実施形態1に記載の、別のアップリンクOFDMA PPDUフレームが送信されるときに使用されるチャネルリソースの簡単な概略図である。
【００４７】
ダウンリンクOFDMA PPDUについて、アップリンクユーザACKシグナリングは、レガシープリアンブルと同じシンボル長を使用し、レガシープリアンブルとACKとの間にHE-SIG-AまたはHE-STF/LTFは存在しない。周波数リソースユニット（RU）がただ一つの基本チャネルユニットに配置され、20 MHzごとに各ユーザのACKのためにRUが割り当てられる場合、アップリンクOFDMA PPDUフレームにおけるレガシープリアンブルとACKシグナリングの両方が、割り当てられた20 MHzチャネル上で送信される。周波数リソースユニット（RU）が複数の基本チャネルユニットに配置される場合、レガシープリアンブル（Legacy preamble）およびACKシグナリングは、RUが配置される複数の20 MHzチャネルにわたって複製され、レガシープリアンブル（Legacy preamble）およびACKシグナリングは、帯域幅におけるいずれの他のチャネルでも送信されない。例えば、ユーザ#3について、割り当てられたRUが複数の20 MHzチャネルに配置される場合、レガシープリアンブル（Legacy preamble）およびACKシグナリングは、対応するダウンリンクリソースが配置される第3および第4の20 MHzチャネルにわたって複製される。
【００４８】
本発明の本実施形態では、アクセスポイント（AP）によってスケジュールされたアップ
リンクOFDMA PPDUのデータ部分は、割り当てられた周波数リソースユニット（RU）上で送受信され、アップリンクOFDMA PPDUの共通シグナリング部分における少なくともいくつかのフィールドは、周波数リソースユニット（RU）が配置される1つまたは複数の基本チャネル上で送受信され、例えば、少なくともいくつかのフィールドは、1つまたは複数の決定された20 MHzチャネル上で送受信される。このようにして、アップリンクOFDMA PPDUの共通シグナリング部分を送受信するための1つまたは複数の20 MHzチャネルが既に確定的であるため、従来の802.11a/b/n/acおよび802.11ax BSSにおける別のユーザが、従来のCCAに従って検出を実行する場合、1つまたは複数の20 MHzチャネルは除外され、ユーザは、データ部分について、他のアイドル状態の20 MHzチャネル上で検出を実行する。この送信方式では、BSSにおける別のユーザは、データ部分のためにアイドル状態の20 MHzチャネルについて競合し、BSSにおける別のユーザは、データ部分のためにアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００４９】
加えて、アップリンクOFDMA PPDUの共通シグナリング部分における少なくともいくつかのフィールドは、1つまたは複数の基本チャネルを介して送受信され、且つ、基本チャネルは、比較的大きい容量を有し、ここで、基本チャネルは、好ましくは20 MHzであるため、1つまたは複数の基本チャネルは、アップリンクOFDMA PPDUの共通シグナリング部分における少なくともいくつかのフィールドを収容することができる。従って、完全な共通シグナリング部分は、1つまたは複数の基本チャネルを介して受信エンドに最終的に送受信され、且つ、送信シグナリングは、送信プロセスにおいて失われない。
【００５０】
本発明の本実施形態で提供される技術的解決手段によると、アクセスポイント（AP）によってスケジュールされたアップリンクOFDMA PPDUのデータ部分は、対応する割り当てられた周波数リソースユニット（RU）上で送受信され、割り当てられた周波数リソースユニット（RU）が配置される1つまたは複数の基本チャネルユニットが決定され、アップリンクOFDMA PPDUの共通シグナリング部分における少なくともいくつかのフィールドは、決定された1つまたは複数の基本チャネル上で送受信される。このようにして、アップリンクOFDMA PPDUの共通シグナリング部分における少なくともいくつかのフィールドを送受信するための1つまたは複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シグナリング部分における少なくともいくつかのフィールドを送受信するための1つまたは複数の基本チャネルはビジー状態であることを検出し、ユーザは、他のアイドル状態の基本チャネルにおいてデータを送受信することができ、それによって、チャネル利用を改善する。加えて、複数のユーザは、複数の基本チャネル上でデータを同時に送受信することができ、それによって、サービス送信速度を改善する。
【００５１】
実施形態2
【００５２】
本発明の実施形態2は、別のデータ送信方法をさらに開示する。図5に示されるように、方法は、以下のステップを含む。
【００５３】
S201: アクセスポイント（AP）によってスケジュールされたアップリンクOFDMA PPDUのデータ部分によって必要とされる周波数リソースのサイズを決定する。
【００５４】
S202: 対応する周波数リソースユニット（RU）を割り当てる。
【００５５】
アップリンクOFDMA PPDUのデータ部分は、アップリンクユーザデータおよび/またはアップリンクユーザMAC制御シグナリングを含む。
【００５６】
S203: 割り当てられた周波数リソースユニット（RU）が配置される複数の基本チャネルユニットを決定する。
【００５７】
基本チャネルユニットは、好ましくは20 MHzチャネルである。確かに、本発明の本実施形態における基本チャネルユニットは、20 MHzチャネルに限定されず、本発明の本実施形態における基本チャネルユニットとして、任意の適当なチャネルが使用されることができる。
【００５８】
S204: 割り当てられた周波数リソースユニット（RU）上で、アップリンクOFDMA PPDUのデータ部分を送受信し、基本チャネルごとに決定された複数の基本チャネルを介して、アップリンクOFDMA PPDUの共通シグナリング部分における少なくともいくつかのフィールドを複製した。
【００５９】
本発明の本実施形態で提供される技術的解決手段によると、アクセスポイント（AP）によってスケジュールされたアップリンクOFDMA PPDUのデータ部分のデータは、対応する割り当てられた周波数リソースユニット（RU）上で送受信され、割り当てられた周波数リソースユニット（RU）が配置される複数の基本チャネルユニットが決定され、アップリンクOFDMA PPDUの共通シグナリング部分における少なくともいくつかのフィールドは、決定された複数の基本チャネルを介して送受信される。このようにして、アップリンクOFDMA PPDUの共通シグナリング部分における少なくともいくつかのフィールドを送受信するための複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シグナリング部分における少なくともいくつかのフィールドを送受信するための複数の基本チャネルはビジー状態であることを検出し、ユーザは、他のアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００６０】
実施形態3
【００６１】
本発明の実施形態3は、データ送信装置を詳細に説明する。図6を参照すると、本実施形態に記載のデータ送信装置は、割り当てユニット301、決定ユニット302および送信ユニット303を含む。
【００６２】
割り当てユニット301は、アクセスポイント（AP）によってスケジュールされたアップリンクOFDMA PPDUのデータ部分によって必要とされる周波数リソースのサイズを決定し、アップリンクOFDMA PPDUのデータ部分を送受信するための対応する周波数リソースユニット（RU）を割り当てるように構成される。
【００６３】
アップリンクOFDMA PPDUのデータ部分は、アップリンクユーザデータおよび/またはアップリンクユーザMAC制御シグナリングを含む。
【００６４】
決定ユニット302は、割り当てられた周波数リソースユニット（RU）が配置される1つまたは複数の基本チャネルユニットを決定するように構成される。
【００６５】
基本チャネルユニットは、好ましくは20 MHzチャネルである。確かに、本発明の本実施形態における基本チャネルユニットは、20 MHzチャネルに限定されず、本発明の本実施形態における基本チャネルユニットとして、任意の適当なチャネルが使用されることができる。
【００６６】
送信ユニット303は、割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信するように構成される。
【００６７】
アップリンクOFDMA PPDUの共通シグナリング部分におけるフィールドは、少なくともレガシープリアンブル（Legacy preamble）を含み、HE-SIG-A（High Efficient signal part A, 高効率信号部分A）またはHE-SIG-B（High Efficient signal part B, 高効率信号部分B）をさらに含んでよい。HE-SIG-Aは、アップリンクOFDMA PPDUにおける共通リソース指示シグナリングであり、HE-SIG-Bは、アップリンクOFDMA PPDUにおけるユーザのためのリソース指示シグナリングである。送信フレームの物理層フレームフォーマットにより、レガシープリアンブル（Legacy preamble）がレガシー・ショート・トレーニング・シーケンス・フィールド、レガシー・ロング・トレーニング・シーケンス・フィールドおよびレガシーシグナリングフィールドを含むことが知られ得る。HE-SIG-Aは、帯域幅、シンボル間ガードインターバルおよびHE-SIG-Bの長さおよび変調符号化等を設定するための共通シグナリングを含む。HE-SIG-Bは、ターゲットユーザに割り当てられるリソース等に関する情報を示すために使用される。
【００６８】
任意で、アップリンクOFDMA PPDUフレームの共通シグナリング部分における少なくともいくつかのフィールドは、レガシープリアンブル（Legacy preamble）およびHE-SIG-Aのみを含み、または、アップリンクOFDMA PPDUフレームの共通シグナリング部分は、レガシープリアンブル（Legacy preamble）、HE-SIG-AおよびHE-SIG-Bを含む。
【００６９】
アップリンクOFDMAを使用することによる、APによってスケジュールされたアップリンクデータまたはアップリンクMAC制御シグナリングの送信のために、アップリンクユーザデータまたはアップリンクユーザMAC制御シグナリングは、割り当てられたRU上で送信され、RUはただ一つの20 MHzチャネル上に配置される。本発明の実施形態3では、アップリンクOFDMA PPDUフレームの共通シグナリング部分における、レガシープリアンブル（Legacy preamble）およびHE-SIG-A；または、レガシープリアンブル（Legacy preamble）、HE-SIG-AおよびHE-SIG-Bは、RUを含む20 MHzチャネル上で送信され、アップリンクOFDMA PPDUフレームの共通シグナリング部分は、帯域幅におけるいずれの他のチャネル上でも送信されない。
【００７０】
アップリンクOFDMAを使用することによる、APによってスケジュールされたアップリンクデータまたはアップリンクMAC制御シグナリングの送信のために、アップリンクユーザデータまたはアップリンクユーザMAC制御シグナリングは、割り当てられたRU上で送信され、RUは、複数の20 MHzチャネル内に配置される。アップリンクOFDMA PPDUフレームの共通シグナリング部分における、レガシープリアンブル（Legacy preamble）およびHE-SIG-A；または、レガシープリアンブル（Legacy preamble）、HE-SIG-AおよびHE-SIG-Bは、RUが配置される複数の20 MHzチャネル上で送信され、各20 MHzチャネルにわたって複製される。レガシープリアンブル（Legacy preamble）およびHE-SIG-Aは、帯域幅におけるいずれの他のチャネル上でも送信されない。
【００７１】
任意で、アップリンクOFDMA PPDUフレームの共通シグナリング部分における少なくともいくつかのフィールドが、レガシープリアンブル（Legacy preamble）のみを含む場合、アップリンクOFDMA PPDUフレームのデータ部分はACKシグナリングのみを含み、または、アップリンクOFDMA PPDUフレームのデータ部分は、アップリンクユーザデータおよびアップリンクユーザACKシグナリングを含む。ACKシグナリングはMACシグナリングに属し、ACKシグナリングは、基本チャネルユニットごとに基づく周波数リソースに配置される。
【００７２】
ダウンリンクOFDMA PPDUについて、アップリンクユーザACKシグナリングは、レガシープリアンブルと同じシンボル長を使用し、レガシープリアンブルとACKとの間にHE-SIG-AまたはHE-STF/LTFは存在しない。周波数リソースユニット（RU）がただ一つの基本チャネルユニットに配置され、20 MHzごとに各ユーザのACKのためにRUが割り当てられる場合、アップリンクOFDMA PPDUフレームにおけるレガシープリアンブルとACKシグナリングの両方が、割り当てられた20 MHzチャネル上で送信される。周波数リソースユニット（RU）が複数の基本チャネルユニットに配置される場合、レガシープリアンブル（Legacy preamble）およびACKシグナリングは、複数の20 MHzチャネルにわたって複製され、レガシープリアンブル（Legacy preamble）およびACKシグナリングは、帯域幅におけるいずれの他のチャネルでも送信されない。例えば、ユーザ#3について、割り当てられたRUが複数の20 MHzチャネルに配置される場合、レガシープリアンブル（Legacy preamble）およびACKシグナリングは、対応するダウンリンクリソースが配置される第3および第4の20 MHzチャネルにわたって複製される。
【００７３】
本発明の本実施形態では、アクセスポイント（AP）によってスケジュールされたアップリンクOFDMA PPDUのデータ部分は、割り当てユニット301によって割り当てられた周波数リソースユニット（RU）上で送受信され、アップリンクOFDMA PPDUの共通シグナリング部分における少なくともいくつかのフィールドは、周波数リソースユニット（RU）が配置され、決定ユニット302によって決定される1つまたは複数の基本チャネル上で送受信され、例えば、少なくともいくつかのフィールドは、1つまたは複数の決定された20 MHzチャネル上で送受信される。このようにして、アップリンクOFDMA PPDUの共通シグナリング部分を送受信するための1つまたは複数の20 MHzチャネルが既に確定的であるため、従来の802.11a/b/n/acおよび802.11ax BSSにおける別のユーザが、従来のCCAに従って検出を実行する場合、1つまたは複数の20 MHzチャネルは除外され、ユーザは、データ部分について、別のアイドル状態の20 MHzチャネル上で検出を実行する。この送信方式では、BSSにおける別のユーザは、データ部分のためにアイドル状態の20 MHzチャネルについて競合し、BSSにおける別のユーザは、データ部分のためにアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００７４】
加えて、アップリンクOFDMA PPDUの共通シグナリング部分における少なくともいくつかのフィールドは、送信ユニット303によって、1つまたは複数の基本チャネル上で送受信され、且つ、基本チャネルは、好ましくは20 MHzの比較的大きい容量を有するため、1つまたは複数の基本チャネルは、アップリンクOFDMA PPDUの共通シグナリング部分における少なくともいくつかのフィールドを収容することができる。従って、完全な共通シグナリング部分は、1つまたは複数の基本チャネルを介して受信エンドに最終的に送受信され、且つ、送信シグナリングは、送信プロセスにおいて失われない。
【００７５】
本発明の本実施形態で提供される技術的解決手段によると、アクセスポイント（AP）によってスケジュールされたアップリンクOFDMA PPDUのデータ部分のデータは、割り当てユニット301によって割り当てられた周波数リソースユニット（RU）上で送受信され、割り当てられた周波数リソースユニット（RU）が配置される1つまたは複数の基本チャネルユニットが、決定ユニット302によって決定され、アップリンクOFDMA PPDUの共通シグナリング部分における少なくともいくつかのフィールドは、送信ユニット303によって、決定された1つまたは複数の基本チャネル上で送受信される。このようにして、アップリンクOFDMA PPDUの共通シグナリング部分における少なくともいくつかのフィールドを送受信するための1つまたは複数の基本チャネルは確定的である。従来の802.11a/b/n/acおよび802.11ax BSSにおける別のユーザが、従来のCCAに従って検出を実行する場合、ユーザは、ア
ップリンクOFDMA PPDUの共通シグナリング部分における少なくともいくつかのフィールドを送受信するための1つまたは複数の基本チャネルはビジー状態であることを検出し、ユーザは、別のアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００７６】
実施形態4
【００７７】
本発明の実施形態4は、別のデータ送信装置を詳細に説明する。図7を参照すると、本実施形態に記載のデータ送信装置は、割り当てユニット301、決定ユニット302および送信ユニット303を含む。
【００７８】
割り当てユニット301は、アクセスポイント（AP）によってスケジュールされたアップリンクOFDMA PPDUのデータ部分によって必要とされる周波数リソースのサイズを決定し、アップリンクOFDMA PPDUのデータ部分を送受信するための対応する周波数リソースユニット（RU）を割り当てるように構成される。
【００７９】
アップリンクOFDMA PPDUのデータ部分は、アップリンクユーザデータおよび/またはアップリンクユーザMAC制御シグナリングを含む。
【００８０】
決定ユニット302は、割り当てられた周波数リソースユニット（RU）が配置される1つまたは複数の基本チャネルユニットを決定するように構成される。
【００８１】
基本チャネルユニットは、好ましくは20 MHzチャネルである。確かに、本発明の本実施形態における基本チャネルユニットは、20 MHzチャネルに限定されず、本発明の本実施形態における基本チャネルユニットとして、任意の適当なチャネルが使用されることができる。
【００８２】
送信ユニット303は、割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信するように構成される。
【００８３】
割り当てられた周波数リソースユニット（RU）が複数の基本チャネルに配置される場合、送信ユニット303は、
基本チャネルごとに決定された複数の基本チャネルを使用することによって、複数の基本チャネル上で、アップリンクOFDMA PPDUの共通シグナリング部分における少なくともいくつかのフィールドを繰り返し送受信するように構成される第1の送信ユニット3031を含む。
【００８４】
本発明の本実施形態で提供される技術的解決手段によると、アクセスポイント（AP）によってスケジュールされたアップリンクOFDMA PPDUのデータ部分のデータは、割り当てユニット301によって割り当てられた周波数リソースユニット（RU）上で送受信され、割り当てられた周波数リソースユニット（RU）が配置される複数の基本チャネルユニットが、決定ユニット302によって決定され、アップリンクOFDMA PPDUの共通シグナリング部分における少なくともいくつかのフィールドは、送信ユニット3031によって、決定された複数の基本チャネル上で送受信される。このようにして、アップリンクOFDMA PPDUの共通シグナリング部分における少なくともいくつかのフィールドを送受信するための複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シ
グナリング部分における少なくともいくつかのフィールドを送受信するための複数の基本チャネルはビジー状態であることを検出し、ユーザは、別のアイドル状態の基本チャネル上でデータを送受信することができ、それによって、チャネル利用を改善する。加えて、複数のユーザは、複数の基本チャネル上でデータを同時に送受信することができ、それによって、サービス送信速度を改善する。
【００８５】
本発明で開示される実施形態は、アクセスポイントをさらに提供し、アクセスポイントは、上述の任意のデータ送信装置を含んでよい。
【００８６】
本発明で開示される実施形態に記載のデータ送信方法を参照すると、データ送信は、ハードウェア、プロセッサによって実行されるメモリ、またはそれらの組合せによって直接実施されてよい。従って、本発明の実施形態で開示される方法および装置に対応して、本発明は、データ送信システムをさらに開示する。具体的な実施形態は、詳細な説明のために以下で与えられる。
【００８７】
図8に示されるように、データ送信システム1は、メモリ11と、バス12を使用することによってメモリ11に接続されるプロセッサ13とを含む。
【００８８】
メモリ11は記憶媒体を有し、記憶媒体は、アップリンクOFDMA PPDUにおけるデータを送受信するために使用されるデータ送信プログラムを記憶する。
【００８９】
メモリ11は、高速RAMメモリを含んでよく、且つ、不揮発性メモリ、例えば、少なくとも1つの磁気ディスクメモリを含んでもよい。
【００９０】
プロセッサ13は、バス12を使用することによってメモリ11に接続される。データがアップリンクOFDMA PPDUにおいて送受信されるとき、プロセッサ13は、アップリンクOFDMA PPDUにおけるデータを送受信するために使用され、メモリ11に記憶されるデータ送信方法プログラムを呼び出す。データベース検索プログラムは、プログラムコードを含んでよく、プログラムコードは、順次配列された一連の操作命令を含む。プロセッサ13は、中央処理装置（CPU）または特定用途向け集積回路であってよく、または、本発明の本実施形態を実施するように構成される1つまたは複数の集積回路であってよい。
【００９１】
メモリに記憶され、プロセッサ13によって呼び出されるデータ送信方法プログラムは、具体的には、
アクセスポイント（AP）によってスケジュールされたアップリンクOFDMA PPDUのデータ部分によって必要とされる周波数リソースのサイズを決定し、アップリンクOFDMA PPDUのデータ部分を送受信するための対応する周波数リソースユニット（RU）を割り当てることと、
割り当てられた周波数リソースユニット（RU）が配置される1つまたは複数の基本チャネルユニットを決定することと、
割り当てられた周波数リソースユニット（RU）上で、アップリンクOFDMA PPDUのデータ部分を送受信し、決定された1つまたは複数の基本チャネル上で、アップリンクOFDMA PPDUの共通シグナリング部分における少なくともいくつかのフィールドを送受信することとを含んでよい。
【００９２】
前述の内容を参照すると、本発明の本実施形態で提供される技術的解決手段によると、OFDMA技術は、IEEE 802.11ax標準に基づいて導入される。アクセスポイント（AP）によってスケジュールされたアップリンクOFDMA PPDUのデータ部分のデータは、対応する割り当てられた周波数リソースユニット（RU）上で送受信され、割り当てられた周波数リソースユニット（RU）が配置される1つまたは複数の基本チャネルユニットが決定され、アップ
リンクOFDMA PPDUの共通シグナリング部分における少なくともいくつかのフィールドは、決定された1つまたは複数の基本チャネル上で送受信される。このようにして、アップリンクOFDMA PPDUの共通シグナリング部分における少なくともいくつかのフィールドを送受信するための1つまたは複数の基本チャネルは確定的である。従来の802.11a/b/n/acおよび802.11ax BSSにおける別のユーザが、従来のCCAに従って検出を実行する場合、ユーザは、アップリンクOFDMA PPDUの共通シグナリング部分における少なくともいくつかのフィールドを送受信するための1つまたは複数の基本チャネルはビジー状態であることを検出し、ユーザは、別のアイドル状態の基本チャネルにおいてデータを送受信することができ、それによって、チャネル利用を改善する。加えて、複数のユーザは、複数の基本チャネル上でデータを同時に送受信することができ、それによって、サービス送信速度を改善する。
【００９３】
本明細書における実施形態は、実施形態における同じまたは同様の部分については、全て漸進的な方式で説明され、参照はこれらの実施形態に対して行われてよく、各実施形態は、他の実施形態との差異に焦点を当てている。実施形態で開示される装置は、実施形態で開示される方法と対応するため、比較的簡単に説明され、方法のものに関連する部分については、方法の説明に対して参照が行われてよい。
【００９４】
当業者は、本明細書で開示される実施形態で説明される例と組み合わせて、ユニットおよびアルゴリズムステップは、電子ハードウェアまたはコンピュータソフトウェアと電子ハードウェアの組合せによって実施され得ることをさらに認識することができる。ハードウェアおよびソフトウェア間の互換性を明確に説明するために、前述では、機能に従って各例の構成およびステップを一般に説明した。機能がハードウェアによって実行されるかソフトウェアおよびハードウェアによって実行されるかは、技術的解決手段の特定の用途および設計制約条件に依存する。当業者は、各特定の用途に対して説明される機能を実施するために異なる方法を使用してよいが、実施は本発明の範囲を超えると考えられるべきでない。
【００９５】
本明細書で開示される実施形態と組み合わせて、方法またはアルゴリズムステップは、ハードウェア、プロセッサによって実行されるソフトウェアモジュールまたはそれらの組合せによって実施されてよい。ソフトウェアモジュールは、ランダムアクセスメモリ（RAM）、メモリ、読出し専用メモリ（ROM）、電気的にプログラム可能なROM、電気的に消去可能なプログラム可能なROM、レジスタ、ハードディスク、リムーバブルディスク、CD-ROMまたは当技術分野で知られている記憶媒体の任意の他の形態にあってよい。
【００９６】
上で開示された実施形態は、当業者が本発明を実施または使用することを可能にするために説明されている。実施形態への様々な修正は、当業者には明らかであり、本明細書で定義される一般的な原理は、本発明の精神または範囲を逸脱することなく、他の実施形態において実施されてよい。従って、本発明は、本明細書で説明される実施形態に限定されないが、本明細書で開示される原理および新規性に従う最も広い範囲に及ぶ。
【符号の説明】
【００９７】
1  データ送信システム
11  メモリ
13  プロセッサ
301  割り当てユニット
302  決定ユニット
303  送信ユニット
3031  第1の送信ユニット
【図１】
2020188499.tif 000003
【図２ａ】
2020188499.tif 000004
【図２ｂ】
2020188499.tif 000005
【図３ａ】
2020188499.tif 000006
【図３ｂ】
2020188499.tif 000007
【図４】
2020188499.tif 000008
【図５】
2020188499.tif 000009
【図６】
2020188499.tif 000010
【図７】
2020188499.tif 000011
【図８】
2020188499.tif 000012
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
帯域幅においてアップリンク直交周波数分割多元接続(OFDMA)物理層収束プロトコルデータユニット(PPDU)を送信するデータ送信方法であって、前記帯域幅は、複数の20 MHzチャネルからなり、前記アップリンクOFDMA PPDUは、共通シグナリング部分とデータ部分とを備え、前記帯域幅内の周波数リソースユニット(RU)は、前記データ部分に対して割り当てられ、前記RUは、前記帯域幅において１つまたは複数の20 MHzチャネル内に配置され、前記共通シグナリング部分は、レガシープリアンブルと高効率信号部分A(HE-SIG-A)とを含み、前記方法は、
前記割り当てられたRUが配置された前記１つまたは複数の20 MHzチャネル上においてのみ、前記レガシープリアンブルと前記HE-SIG-Aとを、局（STA）によって送信するステップであって、前記帯域幅は、前記割り当てられたRUが配置された前記１つまたは複数の20 MHzチャネルの傍らに１つまたは複数の他の20 MHzチャネルを備える、ステップと、
前記割り当てられたRU上の前記アップリンクOFDMA PPDUにおいて前記データ部分を、前記STAによって送信するステップと
を備える、データ送信方法。
【請求項２】
前記割り当てられたRUが配置された前記1つまたは複数の20 MHzチャネル上においてのみ、前記レガシープリアンブルと前記HE-SIG-Aとを送信する前記ステップは、
前記レガシープリアンブルと前記HE-SIG-Aとを複製し、前記割り当てられたRUが配置された前記複数の20 MHzチャネルの各々に渡ってのみ、複製されたレガシープリアンブルとHE-SIG-Aとを送信するステップ
を備える、請求項１に記載の方法。
【請求項３】
前記アップリンクOFDMA PPDUにおける前記データ部分は、アップリンクユーザデータ、または、アップリンクユーザ媒体アクセス制御(MAC)シグナリングのうちの少なくとも１つを含む、請求項１または２に記載の方法。
【請求項４】
前記割り当てられたRU上の前記アップリンクOFDMA PPDUにおいて高効率ショート・トレーニング・フィールド(HE-STF)と高効率ロング・トレーニング・フィールド(HE-LTF)とを送信するステップ
を更に備える請求項１乃至３のいずれか１項に記載の方法。
【請求項５】
前記アップリンクOFDMA PPDUは、802.11ax標準に基づく、請求項１乃至４のいずれか１項に記載の方法。
【請求項６】
帯域幅においてアップリンク直交周波数分割多元接続(OFDMA)物理層収束プロトコルデータユニット(PPDU)を送信するデータ送信装置であって、前記帯域幅は、複数の20 MHzチャネルからなり、前記アップリンクOFDMA PPDUは、共通シグナリング部分とデータ部分とを備え、前記帯域幅内の周波数リソースユニット(RU)は、前記データ部分に対して割り当てられ、前記RUは、前記帯域幅において１つまたは複数の20 MHzチャネル内に配置され、前記共通シグナリング部分は、レガシープリアンブルと高効率信号部分A(HE-SIG-A)とを含み、前記装置は、
前記割り当てられたRUが配置された前記１つまたは複数の20 MHzチャネル上においてのみ、前記レガシープリアンブルと前記HE-SIG-Aとを送信するように構成された送信ユニットであって、前記帯域幅は、前記割り当てられたRUが配置された前記１つまたは複数の20 MHzチャネルの傍らに１つまたは複数の他の20 MHzチャネルを備える、送信ユニット
を備え、
前記送信ユニットは、前記割り当てられたRU上の前記アップリンクOFDMA PPDUにおいて前記データ部分を送信するように更に構成される、データ送信装置。
【請求項７】
前記送信ユニットは、前記レガシープリアンブルと前記HE-SIG-Aとを複製し、前記割り当てられたRUが配置された前記複数の20 MHzチャネルの各々に渡ってのみ、複製されたレガシープリアンブルとHE-SIG-Aとを送信するように更に構成される、請求項６に記載の装置。
【請求項８】
前記アップリンクOFDMA PPDUにおける前記データ部分は、アップリンクユーザデータ、または、アップリンクユーザ媒体アクセス制御(MAC)シグナリングのうちの少なくとも１つを含む、請求項６または７に記載の装置。
【請求項９】
前記送信ユニットは、前記割り当てられたRU上の前記アップリンクOFDMA PPDUにおいて高効率ショート・トレーニング・フィールド(HE-STF)と高効率ロング・トレーニング・フィールド(HE-LTF)とを送信するように更に構成される、請求項６乃至８のいずれか１項に記載の装置。
【請求項１０】
前記アップリンクOFDMA PPDUは、802.11ax標準に基づく、請求項６乃至９のいずれか１項に記載の装置。
【請求項１１】
命令を格納するように構成されたメモリと、
前記メモリに結合された１つまたは複数のプロセッサと
を備えるデータ送信装置であって、前記１つまたは複数のプロセッサは、請求項１乃至５のいずれか１項に記載の方法を前記装置に実行させるために、前記命令を実行するように構成される、データ送信装置。
【請求項１２】
前記装置は、局である、請求項１１に記載の装置。
【請求項１３】
コンピュータによって実行されると請求項１乃至５のいずれか１項に記載の方法が実行される命令を備えるコンピュータ可読記憶媒体。
【外国語明細書】
2020188499000001.pdf